(57)【特許請求の範囲】
【請求項１】
各種記号の入力のため複数並べられる記号キーと、通常入力モードと簡易選択モードのモードを切り替えるための切替キーと、操作された前記記号キーに対応する記号を表示する入力表示欄を含むソフトウェアキーボード画面を表示する表示パネルと、
前記表示パネルに対して設けられ、使用者のタッチ位置を検知するためのタッチパネル部と、
前記通常入力モードでは前記記号キーが操作されるごとに操作された前記記号キーに対応する記号を前記入力表示欄内に追加させ、前記記号キーの領域のうちの予め定められた内部領域よりも外側の領域である外周領域が操作された前記記号キーに対応する記号を修正候補記号と認識し、前記通常入力モードで前記切替キーが操作されたとき、表示入力装置のモードを簡易選択モードとし、前記簡易選択モードに移行したとき、前記入力表示欄に表示された記号のうちいずれか１つの前記修正候補記号を選択状態とし、選択状態の記号の修正がなされたとき、前記入力表示欄内の選択状態の記号を修正後の記号に置き換える制御部と、を含むことを特徴とする表示入力装置。
【請求項２】
前記表示パネルは、前記ソフトウェアキーボード画面に方向キーを表示し、
前記簡易選択モードにおいて、
前記入力表示欄に複数の前記修正候補記号が含まれているとき、前記制御部は、前記簡易選択モードへの移行に伴って最も先頭に位置する前記修正候補記号を選択状態とし、前記方向キーの操作ごとに、選択状態とする前記修正候補記号を切り替えることを特徴とする請求項１に記載の表示入力装置。
【請求項３】
前記表示パネルは、前記ソフトウェアキーボード画面に右方向キーと左方向キーを表示し、
前記制御部は、前記右方向キーが操作されたとき、前記右方向キーの操作前に選択状態とされていた前記修正候補記号の１つ右隣の前記修正候補記号を選択状態とし、前記左方向キーが操作されたとき、前記左方向キーの操作前に選択状態とされていた前記修正候補記号の１つ左隣の前記修正候補記号を選択状態することを特徴とする請求項２に記載の表示入力装置。
【請求項４】
前記簡易選択モードにおいて、
前記制御部は、操作された前記記号キーに対応する記号を指定記号と認識し、何れかの前記記号キーが操作されたとき、前記入力表示欄内の記号のうち、何れか１つの前記指定記号を選択状態にすることを特徴とする請求項１乃至３の何れか１項に記載の表示入力装置。
【請求項５】
前記簡易選択モードにおいて、
前記入力表示欄内に前記指定記号が複数含まれているとき、
前記制御部は、前記指定記号に対応する前記記号キーへの操作がなされるごとに選択状態とする前記指定記号を切り替えることを特徴とする請求項４に記載の表示入力装置。
【請求項６】
前記表示パネルは、削除キーを含むソフトウェアキーボード画面を表示し、
前記簡易選択モードにおいて、
前記制御部は、前記入力表示欄内の選択状態の記号を、前記削除キーの操作の次に操作された前記記号キーに対応する記号に置き換えさせることを特徴とする請求項１乃至５の何れか１項に記載の表示入力装置。
【請求項７】
前記制御部は、前記簡易選択モードで前記切替キーが操作されたとき、前記表示パネルのモードを前記通常入力モードに戻し、前記入力表示欄内の選択状態の記号を、前記通常入力モードへの復帰後に最初に操作された前記記号キーに対応する記号に置き換えさせることを特徴とする請求項１乃至６の何れか１項に記載の表示入力装置。
【請求項８】
前記制御部は、前記修正候補記号を通常表示と異なる警告状態で前記表示パネルに表示させることを特徴とする請求項１乃至７の何れか１項に記載の表示入力装置。
【請求項９】
請求項１乃至８の何れか１項に記載の表示入力装置を含むことを特徴とする画像形成装置。
【発明の詳細な説明】
【技術分野】
【０００１】
本発明は、文字、数字、マークのような記号の入力を受け付ける表示入力装置に関する。また、この表示入力装置を備えた画像形成装置に関する。
【背景技術】
【０００２】
タッチパネル付きの表示パネルを備える装置では、ソフトウェアキーボードを用いて各種情報の入力（データ入力）を行えるようにすることがある。このようなソフトウェアキーボードを表示する情報端末の一例が特許文献１に記載されている。
【０００３】
具体的に、特許文献１には、複数の操作項目を表示し、タッチパネルへ押下が行なわれたとき押下位置を検出し、少なくとも１つの操作項目を入力項目と判定し、タッチパネルへ押下が行なわれたときの押下位置に対応する操作項目を含む所定の範囲を拡大表示し、タッチパネルへの押下を終了したとき、最後に押下していた押下位置に対応する位置の操作項目を入力項目と判定する入力装置が記載されている。この構成により、操作性を高めようとする（特許文献１：請求項１、段落［０００５］、［０００６］等参照）。
【先行技術文献】
【特許文献】
【０００４】
【特許文献１】特開２００２−０９１６７７号公報
【発明の概要】
【発明が解決しようとする課題】
【０００５】
複合機、複写機、ファクシミリ装置のような画像形成装置には、設定操作用の操作パネルが設けられる。そして、操作パネルに設けられたタッチパネル付きの表示パネルにソフトウェアキーボードを表示させることがある。使用者は、ソフトウェアキーボードを操作して、文字、数字、マークのような記号入力を行う。これにより、アドレス、使用者名のような情報を登録できる。スマートフォン、タブレット端末のようなタッチパネルを有する他種の機器でも、記号入力のため、ソフトウェアキーボードを表示することがある。
【０００６】
ソフトウェアキーボードでは、タッチ操作により記号が順番に入力される。ソフトウェアキーボード画面内には、入力結果（入力した記号列）を表示する領域が設けられる。使用者は、領域内の記号列を見て、入力した情報に誤りがあるか否かを確認する。
【０００７】
しかし、ソフトウェアキーボードの入力では、キーボード部分を注視し（入力結果を表示する領域が視界から外れ）、間違った記号キーを操作したこと（誤入力）に気づかないまま、ソフトウェアキーボードへの操作を続けてしまう場合がある。そして、複数の記号を入力してから、あるいは、最後の記号を入力した後に操作ミスに気づく場合がある。
【０００８】
この場合、使用者は、カーソル（記号の入力位置）を移動させてから、あるいは、誤入力した記号までバックスペースで戻ってから、適切な記号の入力や間違った記号の削除を行う。例えば、カーソル移動用のキーやバックスペースキーを長押しして誤入力した記号の位置まで記号の入力位置を戻す。そして、記号の修正を行う。現在の記号の入力位置と誤入力した記号の位置が離れているほど、記号の入力位置を戻すのに手間がかかる。
【０００９】
このように、従来、ソフトウェアキーボードでは、誤入力した記号を容易に選択できない。そのため、ソフトウェアキーボードでは、入力した記号のうちの一部の記号の修正に手間がかかるという問題がある。また、修正中に正しい記号を誤って消してしまう場合もある。そのため、ソフトウェアキーボードの入力では、記号の修正が煩わしいという問題もある。
【００１０】
ここで、特許文献１記載の入力装置では、拡大表示はなされるものの、間違った記号キーを操作した可能性を使用者に気づかせる工夫はない。また、記号列のうち、誤った記号を容易に修正させる工夫もない。従って、特許文献１記載の入力装置では、上記の問題を解決できない。
【００１１】
本発明は上記の問題点に鑑み、入力された記号のうち、誤入力した記号を容易に選択状態とし、誤入力した記号の修正を容易に行えるようにする。
【課題を解決するための手段】
【００１２】
上記課題解決のため請求項１に係る表示入力装置は、表示パネル、タッチパネル部、制御部を含む。前記表示パネルは、各種記号の入力のため複数並べられる記号キーと、通常入力モードと簡易選択モードのモードを切り替えるための切替キーと、操作された前記記号キーに対応する記号を表示する入力表示欄を含むソフトウェアキーボード画面を表示する。前記タッチパネル部は、前記表示パネルに対して設けられ、使用者のタッチ位置を検知する。前記制御部は、前記通常入力モードでは前記記号キーが操作されるごとに操作された前記記号キーに対応する記号を前記入力表示欄内に追加させ、前記記号キーの領域のうちの予め定められた内部領域よりも外側の領域である外周領域が操作された前記記号キーに対応する記号を修正候補記号と認識し、前記通常入力モードで前記切替キーが操作されたとき、表示入力装置のモードを簡易選択モードとし、前記簡易選択モードに移行したとき、前記入力表示欄に表示された記号のうちいずれか１つの前記修正候補記号を選択状態とし、選択状態の記号の修正がなされたとき、前記入力表示欄内の選択状態の記号を修正後の記号に置き換える制御部と、を含む。
【発明の効果】
【００１３】
本発明によれば、従来よりも入力された複数の記号のなかから、誤入力した記号を容易に選択することができる。そのため、誤入力した記号の修正を容易に行うことができる。
【図面の簡単な説明】
【００１４】
【図１】実施形態に係る複合機の一例を示す図である。
【図２】実施形態に係る操作パネルの一例を示す図である。
【図３】実施形態に係るソフトウェアキーボード画面の一例を示す図である。
【図４】実施形態に係るユーザー登録画面の一例を示す図である。
【図５】実施形態に係るアドレス帳登録画面の一例を示す図である。
【図６】実施形態に係るソフトウェアキーボード画面の警告表示の一例を示す図である。
【図７】実施形態に係る領域設定画面の一例を示す図である。
【図８】実施形態に係る簡易選択モードへの移行の一例を示す図である。
【図９】実施形態に係る簡易選択モードでの選択状態とする記号の切替の一例を示す図である。
【図１０】実施形態に係る簡易選択モードでの記号の指定の一例を示す図である。
【図１１】実施形態に係る操作パネルでの記号の修正の一例を示す図である。
【図１２】実施形態に係る操作パネルでの記号の修正の一例を示す図である。
【発明を実施するための形態】
【００１５】
本発明の実施形態を図１〜図１２を用いて説明する。以下では、操作パネル１（表示入力装置に相当）を含む複合機１００（画像形成装置に相当）を例に挙げ説明する。但し、本実施の形態に記載されている構成、配置等の各要素は、発明の範囲を限定せず、単なる説明例にすぎない。
【００１６】
（複合機１００、操作パネル１の概略）
図１、図２に基づき、実施形態に係る複合機１００、操作パネル１を説明する。図１は実施形態に係る複合機１００の一例を示す図である。図２は、実施形態に係る操作パネル１の一例を示す図である。
【００１７】
複合機１００は、主制御部２と記憶部３を含む（図１参照）。主制御部２は、ＣＰＵ２１、画像処理部２２のような回路を含み、複合機１００の動作を制御する。記憶部３は、ＲＯＭ、ＨＤＤのような不揮発性の記憶装置と、ＲＡＭのような揮発性の記憶装置を組み合わせである。記憶部３は、制御用の各種のプログラムやデータ、設定データ、画像データのような各種データを記憶する。ＣＰＵ２１は、記憶部３に記憶されるプログラム、データに基づき複合機１００の各部の制御や、各種の演算処理を行う。画像処理部２２は、印刷や送信に用いる画像データへの画像処理のような処理や演算を行う。
【００１８】
複合機１００は、操作パネル１を含む（図２参照）。操作パネル１は、複合機１００の正面上方に設けられる。操作パネル１は、複合機１００に関する情報（状態、各種メッセージ、各種設定画面）を表示する表示パネル１１を含む。また、表示パネル１１の上面にタッチパネル部１２が設けられる。タッチパネル部１２は、使用者のタッチ位置を検知するためのものであり、検知位置に応じた電圧（信号）を出力する。また、操作パネル１には、実行するジョブの種類を選択するための複数の機能キー１４（図２参照）、ジョブの実行開始を指示するためのスタートキー１５、数字を入力するためのテンキー１６のような複数のハードキー１３も設けられる。
【００１９】
操作パネル１は、表示パネル１１の表示制御を行うパネル制御部１０（制御部に相当）を含む。なお、パネル制御部１０を設けず、パネル制御部１０の処理を主制御部２が行うようにしてもよい。この場合、主制御部２が操作パネル１の制御部として機能する。
【００２０】
パネル制御部１０は、タッチパネル部１２の出力に基づき、表示パネル１１（タッチパネル部１２）のうち、押された位置、座標を認識し、操作された画像（ソフトキー、ボタン、タブ、チェックボックスのような画像）を認識する。また、パネル制御部１０は、各ハードキー１３と接続され、操作されたハードキー１３を認識する。これらの認識に基づき、パネル制御部１０は、操作パネル１になされた設定操作の内容を認識する。また、パネル制御部１０は、使用者のタッチパネル部１２やハードキー１３への操作に応じて表示を表示パネル１１に切り替えさせる。パネル制御部１０は、表示パネル１１に表示する画面のデータを記憶部３または操作パネル１内のメモリー（不図示）から読み出す。また、パネル制御部１０は、設定操作の内容を主制御部２に通知する。主制御部２は、使用者の設定操作の内容にあうように、各部を制御する。
【００２１】
また、複合機１００は、原稿搬送部４ａと画像読取部４ｂを含む。原稿搬送部４ａは、読み取り位置にセットされた原稿を搬送する。画像読取部４ｂは、原稿搬送部４ａにより搬送される原稿や載置読取用コンタクトガラス（不図示）にセットされた原稿を読み取り、画像データを生成する。主制御部２は、スキャン、印刷、送信のようなジョブのとき、原稿搬送部４ａと画像読取部４ｂの動作を制御する。
【００２２】
また、複合機１００は、印刷部５を含む。印刷部５は、給紙部５ａ、搬送部５ｂ、画像形成部５ｃ、定着部５ｄを含む。印刷を伴うジョブのとき、給紙部５ａは用紙を１枚ずつ搬送部５ｂに送り込む。搬送部５ｂは、給紙部５ａから供給された用紙を搬送する。画像形成部５ｃは、画像データに基づきトナー像を形成し、搬送される用紙に転写する。定着部５ｄは、用紙に転写されたトナー像を定着させる。トナー定着後の用紙は、機外に排出される。
【００２３】
また、複合機１００は、通信部２３を含む。通信部２３は、各種コネクタ、ソケット、通信用チップを備える。通信部２３は、ネットワークやケーブルを介し、ＰＣやサーバーのようなコンピューター２００やファクシミリ装置３００と通信可能に接続される。通信部２３は、コンピューター２００やファクシミリ装置３００からのデータを受信できる（受信機能）。主制御部２は、通信部２３が受信したデータに基づき印刷部５に印刷を行わせる（プリントジョブ）。また、また、通信部２３は、コンピューター２００やファクシミリ装置３００に向けて画像データを送信できる（送信機能）。
【００２４】
（操作パネル１での記号の入力）
次に、図３〜図５に基づき、実施形態に係る操作パネル１（表示入力装置）での記号入力の一例を説明する。図３は、実施形態に係るソフトウェアキーボード画面６の一例を示す図である。図４は、ユーザー登録画面７ａの一例を示す図である。図５は、アドレス帳登録画面７ｂの一例を示す図である。
【００２５】
操作パネル１では、文字、数字、マークのような記号を入力することができる。つまり、アルファベットや漢字やかなを記号として入力することができる。数字や、アットマーク、ピリオド、カンマのようなマークも記号として入力することができる。ユーザーに関する情報や、アドレスに関する情報では、複数の記号（記号列）が入力される。
【００２６】
パネル制御部１０は、記号の入力を行うとき、ソフトウェアキーボード画面６を表示パネル１１に表示させる（図３参照）。また、ソフトウェアキーボード画面６内には、複数の記号キーＫ１が配される。また、入力結果を表示する入力表示欄６１も設けられる。図３は複数の記号キーＫ１が並列（配列）された状態を示す。アルファベット１文字に対して１つの記号キーＫ１が対応する。アルファベット入力やかな変換により、アルファベット、漢字、かなを入力することができる。また、所定の操作がなされると、各種マーク、数字に対応する記号キーＫ１を表示させることもできる。
【００２７】
使用者は、所望の記号列（文字列）となる順番で、ソフトウェアキーボード画面６内の記号キーＫ１の操作（表示位置へのタッチ）を繰り返す。パネル制御部１０は、タッチパネル部１２の出力に基づき、操作された記号キーＫ１を認識する。そして、パネル制御部１０は、使用者の入力結果（操作結果）を入力表示欄６１内に表示させる。具体的に、パネル制御部１０は、操作された記号キーＫ１に対応する記号を、操作された記号キーＫ１の順に表示パネル１１に表示させる。図３の例は、使用者が「Ａ」に続けて「Ｂ」の記号キーＫ１を操作した（表示位置をタッチした）状態の一例を示す。
【００２８】
また、入力表示欄６１内には、記号キーＫ１を操作したときに記号が挿入される位置を示し、点滅する縦線（カーソル６２）が表示される。入力された記号の数が増えるに従って、パネル制御部１０は、カーソル６２の位置を右側に移動させる。
【００２９】
また、ソフトウェアキーボード画面６には、左方向キーＫ２と右方向キーＫ３が設けられる。左方向キーＫ２が１回操作されたとき、パネル制御部１０は、カーソル６２の位置を１つ左に移動させる。右方向キーＫ３が１回操作されたとき、パネル制御部１０は、カーソル６２の位置を１つ右に移動させる。
【００３０】
複合機１００の使用権限の付与や、読み取りで得られた画像データを社内ネットワークのコンピューター２００に送信するには、ユーザーに関する情報が必要である。複合機１００（操作パネル１）では、記号を入力して、ユーザーに関する情報を登録することができる。図４は、ユーザーに関する情報を登録するためのユーザー登録画面７ａである。ユーザー登録画面７ａでは、ユーザー名やＥメールアドレスのようなユーザー情報３１に関する複数の項目について登録が可能である（図４参照）。
【００３１】
外部に画像データのようなデータを送信するとき、その都度、ＥメールアドレスやネットワークアドレスやＦＡＸ番号のようなアドレスを入力するのは面倒である。そこで、複合機１００（操作パネル１）では、アドレス帳に送信先に関する情報を登録することができる。図５は、送信先に関する情報を登録するためのアドレス帳登録画面７ｂである。アドレス帳登録画面７ｂでは、宛先名や各種アドレスのような複数の項目について登録が可能である（図５参照）。宛先に関する情報を登録しておくことにより、アドレス帳のなかから、送信したいアドレスや相手方を選択するだけで、送信先の設定を完了させることができる。なお、ユーザー登録やアドレス帳以外についても、記号（情報）を入力する画面を設けてもよい。
【００３２】
所定の操作が行われると、パネル制御部１０は、ユーザー登録画面７ａやアドレス帳登録画面７ｂを表示パネル１１に表示させる。そして、ユーザー登録画面７ａやアドレス帳登録画面７ｂには、ユーザー名、パスワード、アドレス、パス、ＦＡＸ番号のような記号を入力する項目の名称が表示される。パネル制御部１０は、既に登録済みの情報（記号列）を各項目名の下方に表示させる（図４、図５参照）。
【００３３】
入力項目１つに対し１つの変更キーＫ４が設けられる（図４、図５参照）。使用者は、新規登録、又は、変更したい項目に対応する変更キーＫ４を操作する（表示位置をタッチする）。例えば、Ｅメールアドレスを設定したいとき、Ｅメールアドレスに対応する変更キーＫ４を操作する。
【００３４】
変更キーＫ４が操作されたとき、パネル制御部１０は、ソフトウェアキーボード画面６（図３参照）を表示パネル１１に表示させる。これにより、選択した項目の情報を入力することができる。パネル制御部１０は、ソフトウェアキーボード画面６で終了キーＫ５が操作されたときの入力表示欄６１の内容を主制御部２に通知する。主制御部２は、受信内容を記号入力項目に対応するデータ（ユーザー情報３１、アドレス帳情報３２）として記憶部３に記憶させる。
【００３５】
（警告表示の概要）
次に、図６、図７に基づき、実施形態に係る表示入力装置１での警告表示について説明する。図６は、実施形態に係るソフトウェアキーボード画面６での警告表示の一例を示す図である。図７は、実施形態に係る領域設定画面７ｃの一例を示す図である。
【００３６】
パス、Ｅメールアドレス、ＦＡＸ番号のような情報の入力では、入力したい情報（正しいデータ）と同じ記号列が入力表示欄６１に表示されるように、複数回、いずれかの記号キーＫ１の操作がなされる。しかし、本人は正しい記号キーＫ１をタッチしたつもりでも、操作する記号キーＫ１を誤ってしまう場合がある。そして、間違いに気づかないまま、記号キーＫ１の操作（表示位置のタッチ）を続ける場合がある。
【００３７】
このような場合、パックスペースキーによって間違えた位置まで記号を全て消して修正し、その後再入力を行わなければならない場合がある。また、方向キーでカーソル６２の位置を誤入力した記号の位置に移動させ、誤入力した記号を削除し、続いて、正しい記号を適切な位置に挿入する。このような修正では、バックスペースキーや方向キーを用いて入力完了と思った時点のカーソル６２の位置を誤入力した記号の位置まで戻さなくてはならず、使用者に煩わしさを感じさせる。一方で、誤入力発生の時点で、誤入力に気づくことができれば、直ちに間違いを修正でき、修正も容易である。
【００３８】
そこで、パネル制御部１０は、誤入力が生じた可能性があるか否かを判断する。そして、パネル制御部１０は、誤入力の可能性がある記号を修正候補記号８と認識と認識する。パネル制御部１０は、入力表示欄６１の記号のうち、修正候補記号８を通常表示と異なる警告状態で表示させる。
【００３９】
パネル制御部１０は、記号キーＫ１へのタッチ位置によって、誤入力が生じた可能性があるか否かを判断する。具体的に、パネル制御部１０は、タッチ位置が記号キーＫ１の内部領域Ｆ１に属するか、外周領域Ｆ２に属するかによって、誤入力が生じた可能性があるか否かを判断する。
【００４０】
ここで、内部領域Ｆ１は、記号キーＫ１の表示領域のうち、表示領域の中心を含む領域であって、予め定められた大きさの領域である。外周領域Ｆ２は、記号キーＫ１の表示領域のうち、内部領域Ｆ１を囲む外側の領域（周囲の領域）である。パネル制御部１０は、タッチパネル部１２の出力に基づき、操作された記号キーＫ１を認識するとともに、検知されたタッチ位置の座標に基づき、タッチ位置が内部領域Ｆ１と外周領域Ｆ２の何れに属するかを判断する。
【００４１】
内部領域Ｆ１がタッチされたとき、パネル制御部１０は、操作された記号キーＫ１に対応する記号を入力表示欄６１に通常表示させる。通常表示では、パネル制御部１０は、黒のような通常表示に用いると定められた色で、特に表示上の強調や修飾をすること無く記号を表示させる。
【００４２】
一方、外周領域Ｆ２がタッチされたとき、パネル制御部１０は、操作された記号キーＫ１に対応する記号を修正候補記号８と認識する。そして、パネル制御部１０は、修正候補記号８を入力表示欄６１内に警告表示させる。図６は、警告表示の一例を示している。図６のソフトウェアキーボード画面６での入力表示欄６１の背景は、白色である。そして、図６では、修正候補記号８は「Ｂ」である。パネル制御部１０は、赤のような予め定められた強調用の文字色で修正候補記号８「Ｂ」を表示パネル１１に表示させる。また、パネル制御部１０は、修正候補記号８「Ｂ」をハイライト（背景色追加表示）で表示パネル１１に表示させる。
【００４３】
このように、パネル制御部１０は、通常表示（白地に黒色、図６では「Ａ」の記号）と異なる態様で修正候補記号８を表示パネル１１に表示させる。なお、修正候補記号８を点滅させてもよい。このように、パネル制御部１０は、外周領域Ｆ２が操作された記号キーＫ１に対応する記号の表示色を変え、ハイライトさせることによって、警告表示する。
【００４４】
なお、記号キーＫ１の領域に関する設定画面が設けられる。図７は、領域設定画面７ｃの一例を示す図である。所定の操作が操作パネル１になされたとき、パネル制御部１０は領域設定画面７ｃを表示パネル１１に表示させる。
【００４５】
領域設定画面７ｃは、記号キーＫ１のうちの内部領域Ｆ１と外周領域Ｆ２の大きさを定めるための画面である。領域設定画面７ｃには、内部領域Ｆ１の大きさを定めるための２つの数値入力欄Ｂ１、Ｂ２と、外周領域Ｆ２の大きさを定めるための４つの数値入力欄Ｂ３、Ｂ４、Ｂ５、Ｂ６が配される。数字入力欄の表示領域をタッチし、テンキー１６部を操作することにより、ａ〜ｆの各値を定めることができる。また、数値入力欄Ｂ１〜Ｂ６の表示領域をタッチしたとき数字入力用のソフトウェアキーボード画面６を表示し、この画面への入力によって、内部領域Ｆ１と外周領域Ｆ２の大きさを定めるようにしてもよい。
【００４６】
記号キーＫ１の横方向に関し、記号キーＫ１の横幅に対する内部領域Ｆ１の横幅の割合（図７中の「ａ」の値）と、記号キーＫ１の横幅に対する外周領域Ｆ２の左側の幅の割合（図７中の「ｃ」の値）と、記号キーＫ１の横幅に対する外周領域Ｆ２の右側の幅の割合（図７中の「ｄ」の値）を定めることができる。なお、「ａ」、「ｃ」、「ｄ」の値の合計は１００％となる。
【００４７】
一方、記号キーＫ１の縦方向に関し、記号キーＫ１の縦幅に対する内部領域Ｆ１の縦幅の割合（図７中のｂの値）と、記号キーＫ１の縦幅に対する外周領域Ｆ２の上側の幅の割合（図７中の「ｅ」の値）と、記号キーＫ１の横幅に対する外周領域Ｆ２の右側の下の割合（図７中の「ｄ」の値）を定めることができる。なお、「ｂ」、「ｅ」、「ｆ」の値の合計は１００％となる。
【００４８】
なお、内部領域Ｆ１に関する「ａ」、「ｂ」の値を０とし、「ｃ」＋「ｄ」＝１００％、「ｅ」＋「ｆ」＝１００％とすることにより、記号キーＫ１が操作されると、必ず警告表示がなされるようにすることもできる。
【００４９】
このように、制御部５は、内部領域Ｆ１と外周領域Ｆ２の大きさを設定するための領域設定画面７ｃを表示パネル１１に表示させる。そして、制御部５は、領域設定画面７ｃで設定された各領域の大きさに基づき、タッチ位置が内部領域Ｆ１であるか外周領域Ｆ２であるかを認識する。
【００５０】
（簡易選択モード）
次に、図８〜図１０に基づき、実施形態に係る表示入力装置１での簡易選択モードを説明する。図８は、実施形態に係る簡易選択モードへの移行の一例を示す図である。図９は、実施形態に係る簡易選択モードでの選択状態とする記号の切替の一例を示す図である。図１０は、実施形態に係る簡易選択モードでの記号の指定の一例を示す図である。
【００５１】
なお、以下では、アドレス帳の「宛先名」の項目を登録するためにソフトウェアキーボード画面６を開いた例を説明する。しかし、以下の説明は、他の項目の情報登録のために表示させるソフトウェアキーボード画面６でも同様に適用される。
【００５２】
まず、簡易選択モードは、入力表示欄６１の記号のうち、修正する記号を容易に選択するためのモードである。通常入力モードから簡易選択モードに移行するため、ソフトウェアキーボード画面６には、切替キーＫ６が設けられる。なお、通常入力モードは、記号を入力するための通常のモードである。通常入力モードでは、パネル制御部１０は、記号キーＫ１が操作されるごとに操作された記号キーＫ１に対応する記号を入力表示欄６１内に追加させる。言い換えると、通常入力モードは、使用者が記号キーＫ１を操作すると、入力表示欄６１に順次記号が入力されていくモードである。
【００５３】
図８に示すように、通常入力モードで切替キーＫ６が操作されたとき、パネル制御部１０は、操作パネル１（表示入力装置）のモードを簡易選択モードとする。簡易選択モードであることを示すため、簡易選択モードでは、切替キーＫ６が白黒反転表示される（切替キーＫ６の下地が黒色、切替キーＫ６の内側の文字が白色）。なお、通常入力モードでは、切替キーＫ６は通常表示される（切替キーＫ６の下地が白色、切替キーＫ６の内側の文字が黒色）。なお、他の表現形態によって、簡易選択モードであるか、通常入力モードであるかを示すようにしてもよい。
【００５４】
そして、図８は、表示入力装置が通常入力モードであって、使用者により「Ｋｙｏｃｅｒａ  Ｄｏｃｕｍｅｎｔ  Ｓｏｌｕｔｉｏｍｓ」の記号列が入力された状態を示す。また、入力された記号列のうち、パネル制御部１０が「Ｋｙｏｃｅｒａ」の「ｃ」と、「Ｄｏｃｕｍｅｎｔ」の「ｎ」と、「Ｓｏｌｕｔｉｏｍｓ」の「ｍ」を修正候補記号８と認定し、警告状態で表示させている。
【００５５】
ここで、記号列「Ｋｙｏｃｅｒａ  Ｄｏｃｕｍｅｎｔ  Ｓｏｌｕｔｉｏｍｓ」のうち、実際に誤入力されている記号は、「Ｓｏｌｕｔｉｏｍｓ」中の「ｍ」である。正しくは、「ｎ（Ｓｏｌｕｔｉｏｎｓ）」である（以下、同様）。
【００５６】
入力表示欄６１の文字列に修正候補記号８が含まれており、かつ、簡易選択モードに移行したとき、パネル制御部１０は、入力表示欄６１に表示された記号のうちいずれか１つの修正候補記号８を選択状態とする。図９の最上段の図は、簡易選択モードの移行に伴い、パネル制御部１０が入力表示欄６１内の修正候補記号８と認定している記号のうち、「ｃ」を選択状態としている例を示す。
【００５７】
つまり、パネル制御部１０は、入力表示欄６１に複数の修正候補記号８が含まれているとき、簡易選択モードへの移行に伴って最も先頭に位置する修正候補記号８を選択状態とする。なお、パネル制御部１０は、簡易選択モードへの移行に伴って、先頭以外の修正候補記号８を選択状態としてもよい。また、入力表示欄６１の記号に修正候補記号８がなく簡易選択モードに移行したとき、パネル制御部１０は、どの記号も選択状態としない。
【００５８】
また、パネル制御部１０は、選択状態の記号を白黒反転させた状態で表示パネル１１に表示させる（警告表示と同じ態様でもよい）。パネル制御部１０は、選択状態の記号と選択されていない記号の表示に差を持たせる。しかし、選択状態であることの示し方は、白黒反転に限られない。記号を白抜とする、記号の色を変える、記号のサイズを変える、斜体にする、太字にする、というような手法で選択状態の記号を表示しても良い。
【００５９】
なお、入力表示欄６１内の何れかの記号が選択状態となったとき、記号の入力位置は選択状態となった記号の位置と明らかであるので、パネル制御部１０は、カーソル６２を消す。
【００６０】
ここで、図８、図９に示す例では、入力表示欄６１の記号列には、複数のパネル制御部１０が誤入力の可能性があると認識した記号（修正候補記号８）が含まれる。そして、実際に訂正すべき記号（誤入力された記号）は、「Ｓｏｌｕｔｉｏｍｓ」中の「ｍ」である。修正を行うには、「ｍ」を選択状態とする必要がある。一方、図８、図９に示す例では、「ｍ」は、修正候補記号８であるが、先頭には位置しない。このように、入力表示欄６１の記号のうち、誤入力された記号が複数の修正候補記号８のうち最も先頭の位置ではない場合がある。
【００６１】
このような場合でも誤入力された記号を容易に選択できるように、パネル制御部１０は、方向キーの操作ごとに、選択状態とする修正候補記号８を切り替える。本実施形態のソフトウェアキーボード画面６では、入力表示欄６１の右下位置に上方向キーＫ７、下方向キーＫ８、左方向キーＫ２、右方向キーＫ３の４種類の方向キーが設けられる。
【００６２】
パネル制御部１０は、右方向キーＫ３や左方向キーＫ２が操作されるごとに、選択状態とする修正候補記号８を切り替える。図９の中段の図は、簡易選択モードに移行してから、１回、右方向キーＫ３が操作されたことにより、パネル制御部１０が「ｃ」から一つ右隣の修正候補記号８「ｎ」に選択状態を切り替えた例を示す。また、図９の最下段の図は、２回（さらにもう１回）、右方向キーＫ３が操作されたことにより、パネル制御部１０が「ｎ」からさらに一つ右隣の修正候補記号８「ｍ」に、選択状態を切り替えた例を示す。つまり、各方向キーのうち、使用者は、選択状態とすべき記号がある方向に対応する方向キーを１又は複数回操作する。
【００６３】
つまり、パネル制御部１０は、右側に位置する修正候補記号８を選択状態とするために右方向キーＫ３が操作されたとき、右方向キーＫ３の操作前に選択状態とされていた修正候補記号８の１つ右隣の修正候補記号８を選択状態とする。また、パネル制御部１０は、左側に位置する修正候補記号８を選択状態とするために左方向キーＫ２が操作されたとき、左方向キーＫ２の操作前に選択状態とされていた修正候補記号８の１つ左隣の修正候補記号８を選択状態とする。
【００６４】
このように、カーソル６２の位置を戻ずに、誤入力のおそれがあるとパネル制御部１０が認識した記号を容易に選択状態とすることができる。従って、誤入力した記号を容易に選択できる。誤入力した文字を修正しやすくすることができる（修正の詳細は後述）。
【００６５】
また、簡易選択モードでは、記号キーＫ１を操作して入力表示欄６１の記号のうち修正する文字を指定することができる。言い換えると、記号キーＫ１を操作して、特定の記号を選択状態とすることができる。図１０を用いて、この記号の指定を説明する。
【００６６】
まず、簡易選択モードでは、パネル制御部１０は、操作された記号キーＫ１に対応する記号を指定記号９と認識する。図１０は、記号「ｍ」に対応する記号キーＫ１が操作されたため、パネル制御部１０が記号「ｍ」を指定記号９と認識する例を示している。
【００６７】
パネル制御部１０は、簡易選択モードで何れかの記号キーＫ１が操作されたとき、入力表示欄６１内の記号であって、認識した指定記号９と同じ記号のうち、何れか１つを選択状態にする。図１０の上方の図は、記号「ｍ」に対応する記号キーＫ１が操作されたため、パネル制御部１０が、入力表示欄６１の「Ｄｏｃｕｍｅｎｔ」のうち、最も先頭側に位置する指定記号９「ｍ」を選択状態とする例を示す。
【００６８】
このように、パネル制御部１０は、簡易選択モードで指定記号９を認識し、かつ、入力表示欄６１に指定記号９と同じ記号が複数含まれているとき、指定記号９と同じ記号のうち、最も先頭に位置する記号を選択状態とする。
【００６９】
しかし、実際に修正すべき記号（誤入力された記号）は、「Ｓｏｌｕｔｉｏｍｓ」中の「ｍ」である。そこで、パネル制御部１０は、同じ記号キーＫ１が操作されたとき、選択状態とする指定記号９を切り替える。図１０の下方の図は、一度、記号「ｍ」に対応する記号キーＫ１が操作された後、再度、記号「ｍ」に対応する記号キーＫ１が操作されたときの状態を示す。つまり、図１０の下方の図は、指定記号９に対応する記号キーＫ１が繰り返し操作されたため、パネル制御部１０が、入力表示欄６１の記号のうち、「Ｓｏｌｕｔｉｏｍｓ」中の「ｍ」に選択状態とする記号を切り替えた例を示す。
【００７０】
このように、簡易選択モードでは、入力表示欄６１内に指定記号９が複数含まれているとき、パネル制御部１０は、指定記号９に対応する記号キーＫ１への操作がなされるごとに選択状態とする指定記号９を切り替える。これにより、使用者は修正すべき記号に対応する記号キーＫ１を１又は複数回操作するだけで、修正すべき記号を選択状態とすることができる。
【００７１】
（記号の修正）
次に、図１１、図１２を用いて、実施形態に係る操作パネル１での記号の修正を説明する。図１１、１２は実施形態に係る操作パネル１での記号の修正の一例を示す図である。
【００７２】
上述のように、実施形態に係る操作パネル１（表示入力装置）では、誤入力した記号を容易に選択状態とすることができる。そして、操作パネル１は、選択状態とされた記号の修正入力を受け付ける。以下、記号の修正の流れの例を説明する。
【００７３】
まず、パネル制御部１０は、ソフトウェアキーボード画面６内に、記号の修正に用いる削除キーＫ９を表示パネル１１に表示させる。
【００７４】
そして、パネル制御部１０は、入力表示欄６１のいずかの記号が選択されている状態での削除キーＫ９の操作を、選択状態の記号を削除する入力として受け付ける。そして、パネル制御部１０は、削除キーＫ９の次に操作された記号キーＫ１に対応する記号を、修正後の記号として受け付ける。この場合、パネル制御部１０は、記号キーＫ１への操作を、記号を指定するための操作とは認識しない。
【００７５】
その結果、パネル制御部１０は、削除した記号の位置に修正後の記号を挿入する。つまり、簡易選択モードにおいて、パネル制御部１０は、入力表示欄６１内の選択状態の記号を、削除キーＫ９の操作の次に操作された記号キーＫ１に対応する記号に置き換える。
【００７６】
図１１は、簡易選択モードでの記号の修正の流れを示す。図１１の上方の図は、「Ｓｏｌｕｔｉｏｍｓ」中の「ｍ」が選択状態であった状態で、使用者が削除キーＫ９を操作した状態を示す。そして、図１１の下方の図は、削除キーＫ９の次に使用者が「ｎ」の記号キーＫ１を操作したことにより、削除された記号の位置に修正後の正しい記号「ｎ」が挿入された状態を示す。
【００７７】
なお、記号キーＫ１の操作による差し替えの修正後、次に記号キーＫ１が操作された場合、入力表示欄６１内に操作された記号キーＫ１に対応する記号が選択状態となる（無ければ、変化無し）。
【００７８】
次に、図１２を用いて、簡易選択モードから通常入力モードに戻し、通常入力モードとなってからの記号の修正を説明する。
【００７９】
まず、パネル制御部１０は、簡易選択モードで切替キーＫ６が操作されたとき、表示パネル１１のモードを通常入力モードに戻す。入力表示欄６１の記号のうち、誤入力した記号が１つの場合、さらに別の記号を選択状態とする必要はない。そのため、この場合、通常入力モードに戻ってから誤入力した記号を修正すればよい。
【００８０】
図１２の上方の図は、通常入力モードに戻るため、切替キーＫ６が操作されたことを示す。簡易選択モードが解除され、その結果、パネル制御部１０は、操作パネル１を通常入力モードに戻す。そして、通常入力モードであることを示すため、パネル制御部１０は、白黒が反転していない状態で切替キーＫ６を表示パネル１１に表示させる。
【００８１】
なお、いったん簡易選択モードに移行した後、通常入力モードに戻った場合、パネル制御部１０は、修正候補記号８を警告状態で表示させてもよいし、させなくてもよい。図１２では、簡易選択モードから通常入力モードに戻ると、パネル制御部１０が修正候補記号８の警告表示を解除する例を示している。
【００８２】
通常入力モードに戻っても入力表示欄６１内の記号の選択状態は維持される。そして、図１２の下方の図は、切替キーＫ６の次に使用者が「ｎ」の記号キーＫ１を操作したことにより、選択状態であった「Ｓｏｌｕｔｉｏｍｓ」中の「ｍ」が、正しい記号（修正後の記号）「ｎ」に置き換えられた後の状態を示す。そして、パネル制御部１０は、カーソル６２の表示を再開する。
【００８３】
このようにして、実施形態に係る表示入力装置（操作パネル１）は、各種記号の入力のため複数並べられる記号キーＫ１と、通常入力モードと簡易選択モードのモードを切り替えるための切替キーＫ６と、操作された記号キーＫ１に対応する記号を表示する入力表示欄６１を含むソフトウェアキーボード画面６を表示する表示パネル１１と、表示パネル１１に対して設けられ、使用者のタッチ位置を検知するためのタッチパネル部１２と、通常入力モードでは記号キーＫ１が操作されるごとに操作された記号キーＫ１に対応する記号を入力表示欄６１内に追加させ、記号キーＫ１の領域のうちの予め定められた内部領域Ｆ１よりも外側の領域である外周領域Ｆ２が操作された記号キーＫ１に対応する記号を修正候補記号８と認識し、通常入力モードで切替キーＫ６が操作されたとき、表示入力装置のモードを簡易選択モードとし、簡易選択モードに移行したとき、入力表示欄６１に表示された記号のうちいずれか１つの修正候補記号８を選択状態とし、選択状態の記号の修正がなされたとき、入力表示欄６１内の選択状態の記号を修正後の記号に置き換える制御部（パネル制御部１０）と、を含む。
【００８４】
記号キーＫ１の外周領域Ｆ２が操作されたとき、本来操作したい記号キーＫ１の隣の記号キーＫ１を誤って操作した可能性がある。つまり誤入力した可能性がある。指が太めの人は、本来タッチしたい記号キーＫ１のとなりの記号キーＫ１をタッチしやすい。そこで、制御部（パネル制御部１０）は、簡易選択モードに移行したとき、入力表示欄６１に表示された記号のうちいずれか１つの修正候補記号８を選択状態とする。これにより、外周領域Ｆ２が操作された記号キーＫ１に対応する記号であって、誤入力の可能性が高い記号が自動的に選択状態となる。つまり、簡易選択モードに移行するだけで、入力表示欄６１内の記号の入力位置が、誤入力の可能性が高い記号の位置に自動的にジャンプする。そして、自動的に選択状態とされた記号が誤入力された記号である場合、直ちに修正することができる。従来のように記号の入力位置を移動させるキーを繰り返し操作したり、長押しすることなく、誤入力された記号を容易に選択状態とし、修正することができる。従って、誤入力した記号の修正を容易に行うことができる。そして、ソフトウェアキーボードの使いやすさ（記号の修正のしやすさ）を向上させることができる。
【００８５】
また、表示パネル１１は、ソフトウェアキーボード画面６に方向キーを表示する。簡易選択モードにおいて、入力表示欄６１に複数の修正候補記号８が含まれているとき、制御部（パネル制御部１０）は、簡易選択モードへの移行に伴って最も先頭に位置する修正候補記号８を選択状態とし、方向キーの操作ごとに、選択状態とする修正候補記号８を切り替える。
【００８６】
これにより、外周領域Ｆ２が操作された記号キーＫ１が複数ある場合、方向キーを操作するだけで選択状態とする修正候補記号８を順番に切り替えることができる。つまり、記号の入力位置を移動させるキーを繰り返し操作したり、長押したりすることなく、誤入力の可能性が高い記号の位置に入力位置をジャンプさせることができる。そのため、誤入力した記号の修正をさらに容易に行うことができる。
【００８７】
また、表示パネル１１は、ソフトウェアキーボード画面６に右方向キーＫ３と左方向キーＫ２を表示する。制御部（パネル制御部１０）は、右方向キーＫ３が操作されたとき、右方向キーＫ３の操作前に選択状態とされていた修正候補記号８の１つ右隣の修正候補記号８を選択状態とし、左方向キーＫ２が操作されたとき、左方向キーＫ２の操作前に選択状態とされていた修正候補記号８の１つ左隣の修正候補記号８を選択状態する。これにより、記号の入力位置を意図する方向に（自由に）ジャンプさせることができる。
【００８８】
また、簡易選択モードにおいて、制御部（パネル制御部１０）は、操作された記号キーＫ１に対応する記号を指定記号９と認識し、何れかの記号キーＫ１が操作されたとき、入力表示欄６１内の記号のうち、何れか１つの指定記号９を選択状態にする。
【００８９】
これにより、誤入力した記号に対応する記号キーＫ１（先の入力で誤入力した記号キーＫ１と同じ記号キーＫ１）を操作するだけで、入力表示欄６１内の記号のうち誤入力した記号を選択することができる。そして、選択状態となった記号を直ちに修正することができる。従来のように記号の入力位置を移動させるキーを繰り返し操作したり、長押ししたりすることなく、誤入力した記号を修正することができる。従って、誤入力した記号の修正を容易に行うことができる。また、ソフトウェアキーボードの使いやすさ（記号の修正がしやすさ）を大きく高めることができる。
【００９０】
また、簡易選択モードにおいて、入力表示欄６１内に指定記号９が複数含まれているとき、制御部（パネル制御部１０）は、指定記号９に対応する記号キーＫ１への操作がなされるごとに選択状態とする指定記号９を切り替える。これにより、入力表示欄６１内に指定記号９が複数含まれている場合、指定記号９に対応する記号キーＫ１への操作を繰り返すだけで、選択状態とする記号を切り替えることができる。これにより、入力表示欄６１内の複数の指定記号９のうち、意図する指定記号９を選択状態とすることができる。
【００９１】
また、表示パネル１１は、削除キーＫ９を含むソフトウェアキーボード画面６を表示する。簡易選択モードにおいて、制御部（パネル制御部１０）は、入力表示欄６１内の選択状態の記号を、削除キーＫ９の操作の次に操作された記号キーＫ１に対応する記号に置き換えさせる。これにより、誤入力した記号を容易に修正することができる。
【００９２】
また、制御部（パネル制御部１０）は、簡易選択モードで切替キーＫ６が操作されたとき、表示入力装置（操作パネル１）のモードを通常入力モードに戻し、入力表示欄６１内の選択状態の記号を、通常入力モードへの復帰後に最初に操作された記号キーＫ１に対応する記号に置き換えさせる。これにより、簡易選択モードを解除しつつ、誤入力した記号を容易に修正することができる。
【００９３】
制御部（パネル制御部１０）は、修正候補記号８を通常表示と異なる警告状態で表示パネル１１に表示させる。これにより、誤入力の可能性のある記号への注意を引かせることができる。また、誤入力の可能性を使用者に警告することができる。
【００９４】
また、実施形態に係る画像形成装置（複合機１００）は、上述の表示入力装置（操作パネル１）を含む。誤入力した記号を容易に修正することができるので、アドレス、名称のような情報を入力しやすい画像形成装置を提供することができる。また、使いやすい画像形成装置を提供することができる。
【００９５】
本発明の実施形態を説明したが、本発明の範囲はこれに限定されるものではなく、発明の主旨を逸脱しない範囲で種々の変更を加えて実施することができる。
【産業上の利用可能性】
【００９６】
本発明は、表示パネルとタッチパネル部を有する表示入力装置や、画像形成装置に利用可能である。
【符号の説明】
【００９７】
１００  複合機（画像形成装置）          １      操作パネル（表示入力装置）
１０    パネル制御部（制御部）          １１    表示パネル
１２    タッチパネル部                  ６      ソフトウェアキーボード画面
６１    入力表示欄                      ８      修正候補記号
９      指定記号                        Ｆ１    内部領域
Ｆ２    外周領域                        Ｋ１    記号キー
Ｋ２    左方向キー                      Ｋ３    右方向キー
Ｋ６    切替キー                        Ｋ９    削除キー
【図１】
0006319236.tif 000002
【図２】
0006319236.tif 000003
【図３】
0006319236.tif 000004
【図４】
0006319236.tif 000005
【図５】
0006319236.tif 000006
【図６】
0006319236.tif 000007
【図７】
0006319236.tif 000008
【図８】
0006319236.tif 000009
【図９】
0006319236.tif 000010
【図１０】
0006319236.tif 000011
【図１１】
0006319236.tif 000012
【図１２】
0006319236.tif 000013